(57)【要約】【課題】全ての冷凍・冷蔵ショーケースの中から特定の冷凍・冷蔵ショーケース内の運転状態の目視による確認を効率的に行うことができる店舗設備集中管理装置を提供すること。【解決手段】冷凍・冷蔵ショーケース４における電気機器２９に通信線をもって接続されるとともに計時手段３２を有し、記憶手段３１に記憶させた設定条件に基づいて、各冷凍・冷蔵ショーケース４を制御するようにした中央管理装置３０を有する店舗設備集中管理装置であって、中央管理装置３０は、記憶手段３１に記憶された情報及び電気機器２９から入力された情報を表示する表示手段３３を有し、表示手段３３は全ての冷凍・冷蔵ショーケース４の運転状態を表示する第１の運転状態確認画面と、選択された特定の冷凍・冷蔵ショーケース４の運転状態を表示する第２の運転状態確認画面と、を表示する。【選択図】図５
2010185584.tif 000002
【特許請求の範囲】
【請求項１】
複数の冷凍・冷蔵ショーケースにおける電気機器に通信線をもって接続されるとともに計時手段を有し、記憶手段に記憶させた設定条件に基づいて、各冷凍・冷蔵ショーケースを制御するようにした中央管理装置を有する店舗設備集中管理装置であって、
前記中央管理装置は、前記記憶手段に記憶された情報及び前記電気機器から入力された情報を表示する表示手段を有し、該表示手段は全ての前記冷凍・冷蔵ショーケースの運転状態を表示する第１の運転状態確認画面と、選択された特定の冷凍・冷蔵ショーケースの運転状態を表示する第２の運転状態確認画面と、を表示することを特徴とする店舗設備集中管理装置。
【請求項２】
前記第２の運転状態確認画面は、前記表示手段の初期画面から切り換え可能であることを特徴とする請求項１に記載の店舗設備集中管理装置。
【請求項３】
前記表示手段は、前記冷凍・冷蔵ショーケース毎の運転状態の詳細を示す第３の運転状態確認画面を表示可能であり、前記冷凍・冷蔵ショーケースは、該第３の運転状態確認画面から選択された特定の冷凍・冷蔵ショーケースとして前記第２の運転状態確認画面に登録可能であることを特徴とする請求項１または２に記載の店舗設備集中管理装置。
【発明の詳細な説明】
【技術分野】
【０００１】
本発明は、記憶手段に記憶させた設定条件に基づいて、各冷凍・冷蔵ショーケースを制御するようにした中央管理装置を有する店舗設備集中管理装置に関する。
【背景技術】
【０００２】
従来、コンビニエンスストアに店舗サーバー装置（中央管理装置）を設けるとともに、コンビニエンスストアの店舗内に食品の冷凍／冷蔵を行うリーチン・ショーケースを複数設け、店舗サーバー装置とリーチン・ショーケースとを制御ＬＡＮで接続することによって、店舗サーバー装置で各リーチン・ショーケースの温度調整を行っている。このような店舗サーバー装置においては、各リーチン・ショーケースの内部に、庫内温度を測定する庫内温度計が備えられており、この庫内温度計での測定温度が制御ＬＡＮを介して店舗サーバー装置に送信され、店舗サーバー表示画面（第１の運転状況確認画面）上に各リーチン・ショーケースの庫内温度が表示されるようになっているものがある（例えば、特許文献１参照）。
【先行技術文献】
【特許文献】
【０００３】
【特許文献１】特開２００５−３００００１号公報（第８頁、第１図）
【発明の概要】
【発明が解決しようとする課題】
【０００４】
一方、一般的な店舗では、店舗内に複数設けられている、食品等を冷凍・冷蔵する冷凍・冷蔵ショーケースに品質管理表を備え、店舗の従業員が定期的に冷凍・冷蔵ショーケースの温度チェック並びに品質管理表に異常のない旨を記録することで冷凍・冷蔵ショーケース内の庫内温度管理を行っているが、品質管理表の交換コストがかかるため、特許文献１に示すような店舗サーバー装置（中央管理装置）を導入して冷凍・冷蔵ショーケース内の庫内温度管理をする店舗が増加している。
【０００５】
しかしながら、特許文献１にあっては、特定の庫内温度管理を行う冷凍・冷蔵ショーケースをチェックしようとすると、店舗サーバー表示画面（第１の運転状況確認画面）に表示される全ての冷凍・冷蔵ショーケースの中から特定の冷凍・冷蔵ショーケースを見つけ出して庫内温度をチェックしなければならないため、庫内温度のチェックに時間がかかりすぎてしまうという問題がある。
【０００６】
本発明は、このような問題点に着目してなされたもので、全ての冷凍・冷蔵ショーケースの中から特定の冷凍・冷蔵ショーケース内の運転状態の目視による確認を効率的に行うことができる店舗設備集中管理装置を提供することを目的とする。
【課題を解決するための手段】
【０００７】
前記課題を解決するために、本発明の請求項１に記載の店舗設備集中管理装置は、
複数の冷凍・冷蔵ショーケースにおける電気機器に通信線をもって接続されるとともに計時手段を有し、記憶手段に記憶させた設定条件に基づいて、各冷凍・冷蔵ショーケースを制御するようにした中央管理装置を有する店舗設備集中管理装置であって、
前記中央管理装置は、前記記憶手段に記憶された情報及び前記電気機器から入力された情報を表示する表示手段を有し、該表示手段は全ての前記冷凍・冷蔵ショーケースの運転状態を表示する第１の運転状態確認画面と、選択された特定の冷凍・冷蔵ショーケースの運転状態を表示する第２の運転状態確認画面と、を表示することを特徴としている。
この特徴によれば、使用者は第２の運転状態確認画面から選択された特定の冷凍・冷蔵ショーケースの運転状態のみを目視で確認することができるので、例えば、冷蔵条件が共通の各グループの代表した１台を特定のショーケースとしておおよその表示をすることで、ショーケース全体の運転状態を効率的に確認することができる。
【０００８】
本発明の請求項２に記載の店舗設備集中管理装置は、請求項１に記載の店舗設備集中管理装置であって、
前記第２の運転状態確認画面は、前記表示手段の初期画面から切り換え可能であることを特徴としている。
この特徴によれば、使用者は、初期画面から直ちに第２の運転状態確認画面に移行して、選択された特定の冷凍・冷蔵ショーケースの運転状態を確認することができる。
【０００９】
本発明の請求項３に記載の店舗設備集中管理装置は、請求項１または２に記載の店舗設備集中管理装置であって、
前記表示手段は、前記冷凍・冷蔵ショーケース毎の運転状態の詳細を示す第３の運転状態確認画面を表示可能であり、前記冷凍・冷蔵ショーケースは、該第３の運転状態確認画面から選択された特定の冷凍・冷蔵ショーケースとして前記第２の運転状態確認画面に登録可能であることを特徴としている。
この特徴によれば、例えば、第３の運転状態確認画面で異常が発生した冷凍・冷蔵ショーケースを第２の運転状態確認画面に登録することで、異常が発生した冷凍・冷蔵ショーケースの監視を行うことができる。
【図面の簡単な説明】
【００１０】
【図１】実施例における店舗設備集中管理装置が適用された店舗を示す平面図である。
【図２】ショーケースを示す正面図である。
【図３】ショーケースを示す縦断側面図である。
【図４】品質管理表の表示を示す正面図である。
【図５】店舗設備集中管理装置の構成を示すブロック図である。
【図６】記憶部に記憶されているケースモニタテーブルを示す図である。
【図７】記憶部に記憶されている温度管理テーブルを示す分である。
【図８】中央管理装置の表示画面に表示される初期画面を示す図である。
【図９】中央管理装置の表示画面に表示されるショーケース管理画面を示す図である。
【図１０】中央管理装置の表示画面に表示されるケースモニタ画面を示す図である。
【図１１】中央管理装置の表示画面に表示される運転状態詳細画面を示す図である。
【図１２】中央管理装置の表示画面に表示される特定温度管理表画面を示す図である。
【発明を実施するための形態】
【００１１】
本発明に係る店舗設備集中管理装置を実施するための形態を実施例に基づいて以下に説明する。
【実施例】
【００１２】
実施例に係る店舗設備集中管理装置につき、図１から図１２を参照して説明する。図１の符号１は、本発明の店舗設備集中管理装置が適用されたスーパーマーケット等の店舗である。この店舗１は、買物客が買物を行う販売スペース２と、冷蔵庫や冷凍庫等を運転管理する空間をなすバックヤード３と、から構成されている。
【００１３】
販売スペース２内には、複数の商品を陳列するための本発明における冷凍・冷蔵ショーケースとしてのショーケース４が並設されている。これらショーケース４は、商品を低温に保ったまま冷凍または冷蔵した状態で陳列可能となっている。また、ショーケース４は、陳列する商品としての肉類、野菜類、魚介類等毎に販売スペース２内での配置が決められており、同一種類の商品を陳列するショーケース４毎がグループＧを構成して配置されている（図５参照）。
【００１４】
また、バックヤード３には、搬入した商品を冷凍保存するための冷蔵庫や冷凍庫３６が複数設けられている冷凍庫コントロール室５と、中央管理装置３０が配備されているとともに、従業員が売上の集計作業等の事務仕事を行う事務所６と、冷凍機の運転圧力を監視するための圧力センサ３５ａを備えた監視ルーム３５と、が設けられている。
【００１５】
次に、販売スペース２に並設されているショーケース４について説明する。これらショーケース４は、図２及び図３に示すように、商品を取り扱う販売スペース２内で左右方向に複数連設されている。
【００１６】
ショーケース４は、正面から開口された内箱７と、この内箱７と同じく正面側が開口され、内箱７を囲繞するように左右方向に設けられた外箱８とからなり、外箱８は発泡ウレタン樹脂材等からなる断熱部材と、この断熱部材の表裏面を覆うスチール金属等の表面板と、から構成されている。また、外箱８と内箱７との間には通風路９が形成され、この外箱８と内箱７によってショーケース本体１０が構成されている。更に、通風路９内には、冷却装置１１と送風機１２とを備えている。
【００１７】
そして、正面側を開口した内箱７により囲まれた冷蔵室１３には、商品を陳列する陳列棚１４が上下方向に複数設置され、下部に設けられた底板１５にも商品（図示省略）を陳列可能になっており、商品を多数載置可能な構成となっている。更に、各陳列棚１４の前端部下面には、直下の陳列棚１４もしくは底板１５に陳列された商品を照明可能な蛍光灯等の照明装置１６が設けられている。
【００１８】
ショーケース本体１０の下部には、通風路９に空気を取り込む吸込口１７が形成されており、ショーケース本体１０の上部には、冷却装置１１によって冷却された冷気の冷気吹出口１８が形成されている。この冷気吹出口１８から、送風機１２の稼動によって冷却装置１１で冷却された冷気が吸込口１７に向かって吹き出されて、ショーケース本体１０の内箱７の正面側への開口を閉塞するエアーカーテン１９が形成されている。
【００１９】
このエアーカーテン１９の一部が冷蔵室１３内に供給されることで、冷蔵室１３内は一定の低温を保つことができ、冷蔵室１３内の陳列棚１４や底板１５に載置される商品（図示省略）を冷蔵・冷凍した状態で陳列できるようになっている。尚、冷蔵室１３内には、室内温度計２０が取り付けられており、常時冷蔵室１３内の室内温度を測定可能となっている。
【００２０】
更に尚、冷却装置１１の上方には冷気温度計２１が設けられており、常時冷却装置１１によって冷却された冷気の温度を測定可能となっている。加えて、冷却装置１１の上下端部には冷却装置１１を加熱するためのヒータ２２が取り付けられており、冷却装置１１に付着した霜を融解することで霜取りが可能となっている。この融解した霜は、外箱８の下端部に接続されたドレイン管２３を介してショーケース４の外部に排出されるようになっている。
【００２１】
冷気吹出口１８の前方位置には、前方下方に向けて左右幅方向に延びる前部整流板２４が延設されており、冷気吹出口１８の後方位置には、前方下方に向けて左右幅方向に延びる後部整流板２５が延設され、これら前部整流板２４と後部整流板２５によって冷気吹出口１８から吹出される冷気の整流が助長されている。
【００２２】
そして、ショーケース本体１０の前方上端部には、冷蔵室１３内を照らす蛍光ランプ２６が配設されており、ショーケース４に載置された商品を手に取る買物客等が眩しくないように蛍光ランプ２６の前方はキャノピー２７によって覆われている。
【００２３】
また、吸込口１７の近傍であるショーケース本体１０の下部には表示装置２８が設けられている。この表示装置２８は、図４に示すように、電子的に書き換え可能な電子ペーパーによって構成される表示画面２８ａを備えている。この表示画面２８ａには、例えば、店舗１の開店時間である１０時から１９時までの３時間おきに冷蔵室１３内の室内温度が定期点検されることで、各定期点検された時間に点検済みを示すチェックが表示されるようになっている。
【００２４】
そして、図３に示すように、ショーケース本体１０の後方上部には、蛍光ランプ２６と照明装置１６と室内温度計２０と冷気温度計２１と冷却装置１１と送風機１２とヒータ２２と表示装置２８とに接続される本発明における電気機器としてのショーケースコントローラ２９が設けられており、これら蛍光ランプ２６と照明装置１６と冷却装置１１と送風機１２とヒータ２２と表示装置２８とを直接制御可能となっている。また、これらショーケースコントローラ２９は、それぞれが固有のショーケースＩＤを有している。
【００２５】
特に、本実施例では、同一グループＧ内のショーケース４のうち１基を親機として、この親機の親機ショーケースコントローラ２９ａとその他のショーケースコントローラ２９とを通信可能に接続することで、親機ショーケースコントローラ２９が各ショーケース４における蛍光ランプ２６と照明装置１６との点灯及び消灯と、冷却装置１１の霜取りと、を制御可能となっている。
【００２６】
上述のように構成された各ショーケースコントーラ２９，２９ａは、バックヤード３の事務所６内に設けられた中央管理装置３０に通信可能に接続されており、店舗１の従業員が中央管理装置３０を操作することで冷蔵室１３内の室内温度等の運転状態を管理可能となっている。
【００２７】
具体的には、図５に示すように、中央管理装置３０は、ショーケース４における蛍光ランプ２６と照明装置１６や、冷蔵室１３内の室内温度等の運転状態の管理設定を記憶可能であり、図６に示すケースモニタテーブルと図７に示す温度管理テーブルとが記憶されている、本発明における記憶手段としての記憶部３１と、現在の日付及び時刻を計時しているＲＴＣ（リアルタイムクロック）３２と、ショーケース４の各種運転状態を表示するための本発明における表示手段としてのディスプレイ３３と、ショーケース４の各種運転状態の管理を実行する中央制御回路３４と、から構成されている。
【００２８】
尚、ケースモニタテーブルと温度管理テーブルについて詳述すると、図６に示すように、このケースモニタテーブルには、中央管理装置３０が各ショーケース４を管理するための管理番号と、ショーケース名称と、各ショーケース４のショーケースコントローラ２９が有しているショーケースＩＤと、が関連付けられて記憶されている。そして、図７に示すように、温度管理テーブルには、後述する管理表番号と、管理番号と、ショーケース名称と、ショーケースＩＤと、が関連付けられて記憶されている。
【００２９】
また、中央管理装置３０は、各ショーケース４のショーケースコントローラ２９に接続されており、親機ショーケースコントローラ２９ａを介して間接的に同一グループＧ内の各ショーケース４における蛍光ランプ２６と照明装置１６との点灯及び消灯と、冷却装置１１の霜取りと、を制御可能となっている。
【００３０】
加えて、各ショーケースコントローラ２９は、中央管理装置３０と接続されることによって、室内温度計２０の測定値をショーケースＩＤとともに中央管理装置３０に送信可能となっており、中央制御回路３４は、室内温度計２０の測定値とともに受信したショーケースＩＤを基に図６に示すケースモニタテーブルを参照し、室内温度計２０の測定値をショーケース４別にディスプレイ３３に表示させることで、使用者はショーケース４の運転状態としての室内温度の管理が可能となっている。
【００３１】
更に、本実施例におけるディスプレイ３３は、特に図示しないが、表面に透明電極等で構成したタッチパネルが備えられたタッチパネルディスプレイであり、店舗１の従業員等の使用者がディスプレイ３３の表面を指等で接触操作することで、中央管理装置３０の操作が可能となっている。
【００３２】
尚、冷凍庫コントロール室５内の冷凍庫３６は、特に図示しないがショーケース４と同じく庫内の温度を測定する室内温度計を備えている。そして、中央管理装置３０は、これら冷凍庫コントロール室５内の冷凍庫３６と、各ショーケースコントローラ２９，２９ａとに監視ルーム３５を介して接続されており、使用者は各ショーケース４と冷凍庫３６との室内温度と運転圧力とを管理可能となっている。
【００３３】
次に、中央管理装置３０のディスプレイ３３に表示される各画面について説明する。先ず、中央管理装置３０を起動すると、ディスプレイ３３には図８に示す初期画面が表示される。この初期画面中央には、販売スペース２内の各ショーケース４の運転状態を管理するショーケースキーと、冷凍庫コントロール室５内の冷凍庫３６の運転状態を管理する冷凍設備キーと、が配置されている。
【００３４】
そして、これらショーケースキーと冷凍設備キーとの下方には、現在の日付及び時刻とを設定するための時刻設定キーと、後述する第２の運転状態確認画面にディスプレイ３３の表示を切り換えるための特定温度管理キーと、中央管理装置３０において詳細な設定を行う図示しない設定画面に移行するために必要なパスワードを入力するためのパスワードキーと、が配置されている。
【００３５】
更に、ディスプレイ３３に表示される各画面全ての下端部には、時刻設定キーを操作することで設定された現在の日付及び時刻と、初期画面を表示するためのトップ画面キーが配置されている。
【００３６】
使用者がこの初期画面からショーケースキーを操作すると、中央制御回路３４は、ディスプレイ３３に図９に示すショーケース管理画面を表示させる。このショーケース管理画面は、全てのショーケース４の照明装置１６と蛍光ランプ２６との点灯及び消灯状況を示すショーケース照明管理と、ショーケース４の霜取り状況を示すショーケースデフロスト管理からなり、使用者のタッチパネル操作でショーケースコントローラ２９にショーケース４の照明装置１６と蛍光ランプ２６との点灯及び消灯と、霜取りとの命令を実行させることができる。
【００３７】
具体的には、ショーケース管理画面の上部には、全てのショーケース４の照明装置１６と蛍光ランプ２６とを一括して点灯または消灯させるショーケース管理のキー群が配置されている。使用者がこれらショーケース管理のキー群を操作して、照明装置１６と蛍光ランプ２６との一括点灯または消灯を設定すると、中央制御回路３４は、記憶部３１に照明装置１６と蛍光ランプ２６との一括点灯または消灯の情報を記憶させ、この記憶部３１に記憶された照明装置１６と蛍光ランプ２６との一括点灯または消灯の情報に基づいて全てのグループＧ毎の親機ショーケースコントローラ２９ａに使用者がショーケース管理のキー群から操作した照明装置１６と蛍光ランプ２６との一括点灯または消灯命令を送信する。
【００３８】
親機ショーケースコントローラ２９ａが中央制御回路３４から照明装置１６と蛍光ランプ２６との一括点灯または消灯命令を受信すると、親機ショーケースコントローラ２９ａは、ショーケース４の親機における照明装置１６と蛍光ランプ２６との点灯または消灯を実行するとともに、同一グループＧ内の全てのショーケースコントローラ２９に照明装置１６と蛍光ランプ２６との点灯または消灯命令を送信し、各ショーケースコントローラ２９に照明装置１６と蛍光ランプ２６との点灯または消灯を実行させる。
【００３９】
また、ショーケース管理画面の略中央部には、全てのショーケース４の霜取りを一括して行うショーケースデフロスト管理の全ケース一括デフロストのキーが配置されている。使用者がこの全ケース一括デフロストのキーを操作して全てのショーケース４の霜取りを設定すると、中央制御回路３４は、記憶部に全てのショーケース４の霜取りの情報を記憶させ、この記憶部３１に記憶された全てのショーケース４の霜取りの情報に基づいて全てのグループＧ毎の親機ショーケースコントローラ２９ａに、同一グループＧの全てのショーケース４の霜取り命令を送信する。
【００４０】
親機ショーケースコントローラ２９ａが中央制御回路３４から同一グループＧの全てのショーケース４の霜取り命令を受信すると、親機ショーケースコントローラ２９ａは、ショーケース４の親機におけるヒータ２２の加熱を実行すると共に、同一グループ内の全てのショーケースコントローラ２９に霜取り命令を送信し、各ショーケースコントローラ２９にヒータ２２の加熱を実行させる。
【００４１】
更に、本実施例におけるショーケース管理画面には、全ケース一括デフロストのキーの下方に、グループ別デフロストのキーが配置されており、使用者がこのグループ別デフロストのキーを操作することで、特定のグループＧのみを選択して、選択されたグループＧ内のショーケース４のみで霜取りを実行させることができるようになっている。
【００４２】
尚、ショーケース管理画面の下部にはケースモニタキーが配置されており、使用者がこのショーケース管理画面からケースモニタキーを操作すると、中央制御回路３４は、ディスプレイ３３に図１０に示す本実施例における第１の運転状態確認画面としてのケースモニタ画面を表示させる。
【００４３】
このケースモニタ画面は、前述したように、中央制御回路３４が室内温度計２０の測定値とともに受信したショーケースＩＤを基に図６に示すケースモニタテーブルを参照して、室内温度計２０の測定値をショーケース４別に表示させている画面である。具体的には、各ショーケース４は、ケースモニタテーブルに示す管理番号順に、管理番号とショーケース名称とショーケースＩＤと室内温度としての室内温度計２０の測定値と、が纏められて表示されている。このうち、室内温度は各ショーケースコントローラ２９から室内温度計２０の測定値が送信されてくる毎に更新されるようになっており、使用者は各ショーケース４の冷蔵室１３内の室内温度をほぼリアルタイムで知ることができる。
【００４４】
尚、本実施例におけるケースモニタ画面では、一度に表示可能なショーケース数が２０件に限定されているが、ケースモニタ画面の上部に配置されている切換キーを操作すると、中央制御回路３４がケースモニタ画面に次の異なる２０件のショーケース４に表示変更するようになっており、切換を繰り返し操作することで全てのショーケース４を順次表示することができる。
【００４５】
使用者がこのケースモニタ画面から任意のショーケース４の表示を操作すると、中央制御回路３４は、ディスプレイ３３に図１１に示す本実施例における第３の運転状態確認画面としての運転状態詳細画面を表示させる。
【００４６】
この運転状態詳細画面は、ケースモニタ画面において使用者によって操作されたショーケース４の冷蔵室１３内の温度設定や、ショーケース４の冷蔵室１３内で室内温度計２０によって測定された室内温度の折れ線グラフ等が表示されており、使用者はケースモニタ画面に表示されていないショーケース４のより詳細な運転状態を管理することができる。
【００４７】
また、本実施例における店舗設備集中管理装置では、切換キーを操作することで全てのショーケース４を順次表示することのできるケースモニタ画面とは別に、図１２に示す使用者が選択した特定のショーケース４のみを表示させる本発明における第２の運転状態確認画面としての特定温度管理表画面をディスプレイ３３に表示可能となっている。
【００４８】
この特定温度管理表画面は、図８に示す初期画面から使用者が特定温度管理キーを操作することで、中央制御回路３４がディスプレイ３３の表示を切り換えることで表示される。
【００４９】
この特定温度管理表画面は、使用者が各グループＧの親機としてのショーケース４や、売れ筋の商品が陳列されているショーケース４等を予め選択しておくことで、中央制御回路３４にこれら選択されたショーケース４を表示させるようになっている。
【００５０】
更に、この特定温度管理表画面の上部には、前述のように小数のショーケース４を集中管理する管理表を複数切り換えることができる複数の管理表キーが配置されており、各管理表を切り換えることによって、少数のショーケース４を各目的に応じて管理することができるようになっている。
【００５１】
尚、特定温度管理表画面に表示させるショーケース４を選択するには、図１１に示す運転状態詳細画面において、使用者が運転状態詳細画面の右方部の上下方向略中央に配置されている特定温度管理の登録キーを操作する必要がある。
【００５２】
この登録キーを使用者が操作すると、中央制御回路３４は、図示しない管理表選択画面をディスプレイ３３に表示させて、使用者に登録キーが操作されたショーケース４を表示させる管理表を選択操作させる。次に、中央制御回路３４は、図７に示す温度管理テーブルに選択操作された管理表の管理表番号と、ショーケース４の管理番号とショーケース名称とショーケースＩＤとを関連付けて記憶させる。
【００５３】
つまり、本実施例では、使用者は、管理表１として、特定温度管理表画面に各グループＧの親機としてのショーケース４を、管理表２として、売れ筋商品を陳列しているショーケース４を、そして管理表３として、運転状態詳細画面から冷蔵室１３内の室内温度の折れ線グラフの変化から故障等の疑いのあるショーケース４を選択して表示させることで、ショーケース４の挙動を監視することができる。
【００５４】
尚、中央制御回路３４は、使用者が特定温度管理表画面に表示されているショーケース４の表示を操作することでも運転状態詳細画面を表示可能となっている。そして、中央制御回路３４は、ＲＴＣ３２を参照して店舗１の開店時間である１０時から１９時までの所定時間間隔毎に所定時間（例えば３０分間）内に使用者がケースモニタ画面または特定温度管理表画面からショーケース４の表示を操作するか否かを監視している。
【００５５】
使用者が定期的にショーケース４の表示画面を操作して運転状況を確認すると、中央制御回路３４は、ショーケースコントローラ２９に対して使用者が冷蔵室１３内の室内温度の定期点検を行ったこと示す定期点検完了信号を送信する。
【００５６】
そして、定期点検完了信号を受信したショーケースコントローラ２９は、表示装置２８の表示画面を操作することで、定期点検完了信号に基づいて定期点検がなされた時間に点検済みを示すチェックを表示させる。このようにすることで、使用者はショーケース４内の室内温度を直接ショーケース４毎にチェックせずとも点検可能となるばかりか、買物客に対して定期点検を実行していることを示すことができる。
【００５７】
以上、本実施例における店舗設備集中管理装置にあっては、中央管理装置３０は、記憶部に記憶された情報及びショーケースコントローラ２９から入力された情報を表示するディスプレイ３３を有し、ディスプレイ３３は全てのショーケース４の運転状態を表示するケースモニタ画面と、選択された特定のショーケース４の運転状態を表示する特定温度管理表画面と、を表示することで、使用者は特定温度管理表画面から選択された特定のショーケース４の運転状態のみを目視で確認することができるので、例えば、冷蔵条件が共通の各グループＧの代表した１台を特定のショーケース４としておおよその表示をすることで、ショーケース４全体の運転状態を効率的に確認することができる。
【００５８】
また、特定温度管理表画面は、ディスプレイ３３の初期画面から切り換え可能であるので、使用者は、初期画面から直ちに特定温度管理表画面に移行して、選択された特定のショーケース４の運転状態を確認することができる。
【００５９】
また、ディスプレイ３３は、ショーケース４毎の運転状態の詳細を示す運転状態詳細画面を表示可能であり、ショーケース４は、運転状態詳細画面から選択された特定のショーケース４として特定温度管理表画面に登録可能であるので、例えば、運転状態詳細画面で異常が発生したショーケース４を特定温度管理表画面に登録することで、異常が発生したショーケース４の監視を行うことができる。
【００６０】
尚、ショーケース４は、電子ペーパーで構成される表示画面２８ａを有する表示装置２８を備えており、中央管理装置３０は、表示装置２８にショーケース４の管理状況を表示させるので、例えば、表示装置２８をショーケース４の買物客等から視認し易い箇所に取り付けることで、買物客は、店舗１側がショーケース４の運転状態等を管理していることを確認して安心感を得ることができる。また、表示画面２８ａは電子ペーパーによって構成されているので、表示画面２８ａの書き換え時でのみ電力を消費し、表示画面２８ａの表示は電力を消費せずに保持することができる。
【００６１】
以上、本発明の実施例を図面により説明してきたが、具体的な構成はこれら実施例に限られるものではなく、本発明の要旨を逸脱しない範囲における変更や追加があっても本発明に含まれる。
【００６２】
例えば、前記実施例では、店舗設備集中管理装置が適用された店舗１をスーパーマーケットとして説明したが、店舗設備集中管理装置が適用される店舗はショーケース４が複数設けられている店舗であれば、コンビニエンスストアやドラッグストア等その形態は特に問わない。
【００６３】
また、前記実施例では、同一種類の商品が陳列されているショーケース４毎にグループＧを構成し、このグループＧ内のショーケース４の一台を親機として、親機ショーケースコントローラ２９によって同一グループＧ内のショーケース４の照明装置１６と蛍光ランプ２６との一括点灯または消灯と、霜取りとを実行させたが、これら照明装置１６と蛍光ランプ２６との点灯または消灯と霜取りとは、各ショーケース４のショーケースコントローラ２９が個別に実行してもよい。
【００６４】
また、前記実施例では、中央管理装置３０を店舗１の事務所６に設けて販売スペース２の各ショーケース４の管理を行ったが、店舗１外の遠隔地に中央管理装置３０を設けるとともに遠隔地と店舗１とを通信回線を介して接続し、遠隔地から各ショーケース４を管理可能としてもよい。
【符号の説明】
【００６５】
１                店舗
４                ショーケース
１６              照明装置
２０              室内温度計
２１              冷気温度計
２２              ヒータ
２６              蛍光ランプ
２８              表示装置
２８ａ            表示画面
２９              ショーケースコントローラ（電気機器）
２９ａ            親機ショーケースコントローラ
３０              中央管理装置
３１              記憶部（記憶手段）
３３              ディスプレイ（表示手段）
３４              中央制御回路
Ｇ                グループ
【図１】
2010185584.tif 000003
【図２】
2010185584.tif 000004
【図３】
2010185584.tif 000005
【図４】
2010185584.tif 000006
【図５】
2010185584.tif 000007
【図６】
2010185584.tif 000008
【図７】
2010185584.tif 000009
【図８】
2010185584.tif 000010
【図９】
2010185584.tif 000011
【図１０】
2010185584.tif 000012
【図１１】
2010185584.tif 000013
【図１２】
2010185584.tif 000014